(57)【要約】【課題】効率的な予備回線の運用が可能となる伝送装置を提供する。【解決手段】複数の非同期網及び複数の同期網を収容する伝送装置において、それぞれが非同期網との間でパケットを入出力する非同期網終端部及びパケットと第１同期フレーム間の変換を行うマッピング部を有する複数の非同期網インタフェース部と、それぞれが同期網との間で第２同期フレームを入出力する複数の同期網インタフェース部と、複数の非同期網インタフェース部の中で少なくとも一つの第１非同期網インタフェース部に設けられたバッファと、非同期網に係わる経路上の同期網に回線障害が発生したとき、当該非同期網を収容する非同期網終端部より出力されるパケット及び第１非同期網インタフェース部の非同期網終端部より出力されるパケットにそれぞれ該非同期網終端部を識別する識別子を付加してバッファに書き込む制御部とを具備して構成する。【選択図】　　　　図１
2004048476.tif 000002
【特許請求の範囲】
【請求項１】
複数の非同期網及び複数のＳＯＮＥＴ／ＳＤＨ網を収容する伝送装置であって、
それぞれが前記非同期網との間でパケットを入出力する非同期網終端部及び前記パケットとＳＯＮＥＴ／ＳＤＨフレーム間の変換を行うマッピング部を有する複数の非同期網インタフェース部と、
それぞれが前記ＳＯＮＥＴ／ＳＤＨ網をインタフェースする複数のＳＯＮＥＴ／ＳＤＨ網インタフェース部と、
回線設定に基づいて、前記複数のマッピング部と前記複数のＳＯＮＥＴ／ＳＤＨ網インタフェース部間の回線交換を行う回線交換部と、
複数の非同期網インタフェース部の中で予備回線として使用される第１非同期網インタフェース部に設けられたバッファと、
前記非同期網に係わる経路上のＳＯＮＥＴ／ＳＤＨ網に回線障害が発生したとき、当該非同期網を収容する非同期網終端部より出力されるパケット及び前記第１非同期網インタフェース部の非同期網終端部より出力されるパケットにそれぞれ該非同期網終端部を識別する識別子を付加して前記バッファに書き込み、該バッファに書き込まれたパケットを読み出す制御部と、
を具備したことを特徴とする伝送装置。
【請求項２】
前記制御部は前記第１非同期網インタフェース部のマッピング部より出力されるパケットに付加された識別子に該当する非同期網終端部に当該パケットを出力することを特徴とする請求項１記載の伝送装置。
【請求項３】
前記制御部は、前記非同期網に係わる経路上の同期網に回線障害が発生した当該非同期網及び前記第１非同期網インタフェース部が収容する非同期網のそれぞれに回線容量を割り当て、当該回線容量を越えた前記第１非同期網インタフェース部の非同期網終端部より出力されるパケットを破棄することにより、前記第１非同期網インタフェース部の非同期網終端部より出力されるパケットに優先して前記非同期網に係わる経路上の同期網に回線障害が発生した当該非同期網を収容する非同期網終端部より出力されるパケットを制御することを特徴とする請求項１記載の伝送装置。
【請求項４】
前記第１非同期網インタフェース部のＳＯＮＥＴ／ＳＤＨフレームが送出される前記ＳＯＮＥＴ／ＳＤＨ網の帯域は、他のＳＯＮＥＴ／ＳＤＨ網の帯域と異なるものを許すことを特徴とする請求項１記載の伝送装置。
【請求項５】
前記第１非同期網インタフェース部のＳＯＮＥＴ／ＳＤＨフレームが送出される前記ＳＯＮＥＴ／ＳＤＨ網は、ＡＰＳ（１＋１）、ＡＰＳ（１：Ｎ（Ｎ≧２の整数））、ＢＬＳＲ及びＵＰＳＲのいずれかの切り替え手順に基づいて切り替えられることを特徴とする請求項１記載の伝送装置。
【発明の詳細な説明】
【０００１】
【発明の属する技術分野】
本発明は、伝送装置（ＮＥ：Ｎｅｔｗｏｒｋ　Ｅｌｅｍｅｎｔ））に関し、特に、回線障害が発生したときの回線切り替えの制御に関する。
【０００２】
【従来の技術】
現在、現用回線を救済するためのさまざまな切り替え方式がＳＯＮＥＴ／ＳＤＨ規格（ＳＯＮＥＴ／ＳＤＨと併記せずにＳＯＮＥＴと略す）にて規格として定義されている。ＳＯＮＥＴ規格に従ってパケットを運ぶことを考える。元来、ＳＯＮＥＴ網は、コネクション型のポイントツーポイントにて運用されることを想定している。このため、回線の中を流れる情報は、音声情報であろうが、パケット情報であろうが優先度の区別がなく同じである。パケット情報は、ＳＯＮＥＴ装置に収容されるまでは、コネクションレス型で動いている。コネクションレス型で動作しているものを、パケットを流すためにチャネルを固定的に割り当てるコネクション型で動かすことは、常時情報を流さなくてもいいものを、強制的に流し続けることである。情報を流し続けることで回線の使用率が下がることを考えても無駄が生じていることが分かる。
【０００３】
ＳＯＮＥＴ規格の仕組み上、現用回線を救済するための予備回線というのは、現用回線と同じ回線を用意する必要がある。これをコネクションレス型に当てはめると、コネクション型に変換して通信するという現用回線の無駄をそのまま予備回線に適用していることになる。予備回線そのものが、あくまでも予備であり障害発生するまで使用されない非効率な回線である。パケット情報を通信している場合は、予備回線自体が非効率的であるのに、その回線で救済される現用回線も非効率である。従来の現用回線の救済方式としては、ＡＰＳ（Ａｕｔｏｍａｔｉｃ　Ｐｒｏｔｅｃｔｉｏｎ　Ｓｗｉｔｃｈｉｎｇ）（１＋１）、ＡＰＳ（１：Ｎ）、ＢＬＳＲ（Ｂｉｄｉｒｅｃｔｉｏｎａｌ　Ｌｉｎｅ　Ｓｗｉｔｃｈｅｄ　Ｒｉｎｇ）等がある。
【０００４】
図２５は従来のＡＰＳ（１＋１）を示す図であり、障害が発生した場合の変化を示している。図２５に示すように、ＮＥ１＃１，１＃２間で現用回線２Ｗ＃１，２Ｗ＃２と同じ帯域を持つ予備回線４Ｐ＃１，４Ｐ＃２を必要とする。予備回線４Ｐ＃１，４Ｐ＃２は、文字通り予備であるため、通常の状態で利用されることはない。現用回線２Ｗ＃１，２Ｗ＃２間の回線に障害が発生し、救済する必要が生じたとき初めて予備回線４Ｐ＃１，４Ｐ＃２が使用される。
【０００５】
図２６はＡＰＳ（１：Ｎ）を示す図であり、障害が発生した場合の変化を示している。１：Ｎの構成では、ＮＥ１０＃１，１０＃２間で複数の現用回線１２Ｗ＃１ｊ，１２Ｗ＃２ｊ，１２Ｗ＃３ｊ（ｊ＝１，２）に対して、１つの予備回線１２Ｐ＃ｊ（ｉ＝１，２）しか割り当てない。従って、複数の回線にて障害が発生した場合、１回線しか救済することはできない。図２６では、先発優先の制御した例であり、現用回線１２Ｗ＃１１，１２＃２１間に回線障害が発生して、予備回線１２Ｐ＃１，１２Ｐ＃２に切り替わるが、その後、現用回線１２Ｗ＃１２，１２Ｗ＃２２間に回線障害が発生した現用回線１２Ｗ＃２１，１２Ｗ＃２２は救済されないことを示している。
【０００６】
図２７は、ＡＰＳ（１：２）を示す構成図である。図２７に示すように、ＮＥ１０＃ｉ（ｉ＝１，２）は、データ／ＬＡＮ／データフレーム／データパケット等をインターフェースする、例えばＥＴＨＥＲインタフェース部１３＃ｉｊ（ｊ＝１，２）、回線交換部１４＃ｉ、現用ＯＣ１２インタフェース部１５＃ｉｊ（ｊ＝１，２）及び予備ＯＣ１２インタフェース部１５＃ｉＰを有する。予備ＯＣ１２インタフェース部１５＃ｉＰは、末端の信号を終端するＥＴＨＥＲインタフェース部のカードとは接続されておらず、空き状態となっている。ＥＴＨＥＲインタフェース部１３＃ｉｊはデータ網、例えば、ＥＴＨＥＲ網からパケットを入力して、同期フレーム、例えば、ＳＴＳ１×１２にマッピングして、回線交換部１４＃ｉに出力する。回線交換部１４＃ｉは、ＥＴＨＥＲインタフェース部１３＃ｉｊ（ｊ＝１，２）とＯＣ１２インタフェース部１５＃ｉｊ（ｊ＝１，２），１５＃ｉＰとの間で回線交換を行う。ＯＣ１２インタフェース部１５＃ｉｊ，１５＃ｉＰはＳＯＮＥＴ網との間でＯＣ１２の送受信を行う。
【０００７】
図２８は、ＡＰＳ（１：２）の正常時の内部状態を示す図である。図２８に示すように、ＥＴＨＥＲ終端部１６＃１ｊ（ｊ＝１，２）は非同期網よりパケットを受信して、ＳＯＮＥＴマッピング部１７＃１ｊに出力する。ＳＯＮＥＴマッピング部１７＃１ｊはパケットをＳＴＳ１×１２にマッピングする。ＳＴＳ１×１２は回線交換部１４＃１を通してＯＣ１２インタフェース部１５＃１ｊに出力されて、ＯＣ１２に多重化されてＯＣ１２インタフェース部１５＃２ｊで受信される。このうに、ＥＴＨＥＲインタフェース部１３＃１ｊ（ｊ＝１，２）とＥＴＨＥＲインタフェース部１３＃２ｊ（ｊ＝１，２）間の通信は現用ＯＣインタフェース部１５＃ｉｊ（ｉ＝１，２，ｊ＝１，２）を通して行われる。この時、予備ＯＣ１２インタフェース部１５＃ｉＰ（ｉ＝１，２）は動作していない。
【０００８】
図２９は、ＡＰＳ（１：２）の障害発生時の内部状態を示す図である。ＯＣ１２インタフェース部１５＃１１，１５＃２１間の現用回線に障害発生した時、ＥＴＨＥＲインタフェース部１３＃１１，１３＃２１間の通信が予備回線１５Ｐ＃１．１５Ｐ＃２を通して行われる。
【０００９】
図３０はＢＬＳＲ（ＮＵＴ＋ＰＣＡ）を示す図であり、障害が発生した場合の変化を示している。ＰＣＡとは、Ｐｒｏｔｅｃｔｉｏｎ　Ｃｈａｎｎｅｌ　Ａｃｃｅｓｓのことであり、回線効率を高めるために、予備側を非冗長回線として使用する技術である。ＮＵＴとは、Ｎｏｎ−ｐｒｅｅｍｐｔｉｂｌｅ　Ｕｎｐｒｏｔｅｃｔｅｄ　Ｔｒａｆｆｉｃのことであり、ＢＬＳＲの現用回線で運用するものの、非冗長回線として運用される回線である。現用側をＮＵＴ指定、予備側をＰＣＡ指定することで、互いに障害が発生しても替わらない回線が構成される。ここでは、予備側がＰＣＡに運用されていて、且つ、現用側がＮＵＴでガード状態にあるため、現用側の救済回線として利用できないことを示している。
【００１０】
このように、ＰＣＡを指定すると、予備回線にも独立した信号を流すことができる。ＰＣＡを指定しただけでは、現用回線に障害が発生した場合、現用回線を救済するために、ＰＣＡ回線に流れていた独立した信号は遮断される。現用回線にＮＵＴが指定されていた場合は、現用回線に障害が発生した場合でも、予備回線に切り替わることはない。現用回線にＮＵＴ、予備回線にＰＣＡがそれぞれ指定されていると、予備回線に独立した信号を流すことができ、かつ、現用回線に障害が発生しても上記のようにつぶされることはないが現用回線を救済することはできない。
【００１１】
図３０では、ＮＥ２０＃１，２０＃２，２０＃３，２０＃４がリングネットワークを構成している。ＮＥ２０＃２から入力された信号は、（１）に示すＮＥ２０＃２からＮＥ２０＃１への回線、（２）に示すＮＥ２０＃１からＮＥ２０＃４への回線を経由して、ＮＥ２０＃４に渡る。このとき、（２）に示す回線がＮＵＴで運用されているものとする。（２）に示す回線に障害が発生し、ＢＬＳＲ機能が動作する。このとき、通常であれば、ＮＥ２０＃２から入力された信号は、（１），（３），（４），（５）という経路を通る。しかし、（３）がＰＣＡで運用されているため、ＮＵＴで運用されていた（２）の回線が救済できない。
【００１２】
図３１は、従来のＢＬＳＲ切り替え方式を示す図である。図３１に示すように、ＮＥ２０＃ｉは、ＥＴＨＥＲインタフェース部３０＃ｉｊ（ｊ＝１，２）、回線交換部３２＃ｉ、ＯＣ４８イースト３４＃ｉＥ、ＯＣ４８ウェスト３４＃ｉＷを有する。ＮＥ２０＃１について、経路１は、ＥＴＨＥＲインタフェース部３０＃１１⇔ＯＣ４８ウェスト３４＃１Ｗ⇔ＯＣ４８イースト３４＃２Ｅ⇔ＥＴＨＥＲインタフェース部３０＃２１となる。経路２は、ＥＴＨＥＲインタフェース部３０＃１２⇔ＯＣ４８イースト３４＃１Ｅ⇔ＯＣ４８ウェスト３４＃３Ｗ⇔ＥＴＨＥＲインタフェース部３０＃３１の経路となる。経路３は、ＥＴＨＥＲインタフェース部３０＃１３⇔ＯＣ４８ウェスト３４＃１Ｗ⇔ＯＣ４８イースト３４＃２Ｅ⇔ＥＴＨＥＲインタフェース部３０＃２２の経路となる。
【００１３】
図３２は図３１中のＮＥ２０＃１の通常時の動作を示す図である。ＥＴＨＥＲインタフェース部３０＃１ｊ（ｊ＝１，２，３）はＥＴＨＥＲ終端部４０＃１ｊ（ｊ＝１，２，３）及びＳＯＮＥＴマッピング部４２＃１ｊ（ｊ＝１，２，３）を有する。ＥＴＨＥＲ終端部４０＃１ｊ（ｊ＝１，２，３）はＥＴＨＥＲ網５０＃１ｊ（ｊ＝１，２，３）より１Ｇｂｐｓのパケットを受信して、ＳＯＮＥＴマッピング部４２＃１ｊ（ｊ＝１，２，３）に出力する。ＳＯＮＥＴマッピング部４２＃１ｊ（ｊ＝１，２，３）は１ＧｂｐｓのパケットをＳＴＳ１×２４にマッピングして回線交換部３２＃１に出力する。回線交換部３２＃１は、回線設定に従って、ＳＯＮＥＴマッピング部４２＃１ｊ（ｊ＝１，２，３）より入力されたＳＴＳ１をＯＣ４８ウェスト３４＃１Ｗ，ＯＣ４８イースト３４＃１Ｅ，ＯＣ４８ウェスト３４＃１Ｗにそれぞれ出力する。ＯＣ４８ウェスト３４＃１Ｗ及びＯＣ４８イースト３４＃１ＥはＳＴＳ１×４８を入力すると、ＯＣ４８にマッピングして、ＳＯＮＥＴ網−ＢＬＳＲ右周り６０＃Ｒ又はＳＯＮＥＴ網−ＢＬＳＲ左周り６０＃Ｌに送出する。
【００１４】
図３３は図３１中のＮＥ２０＃２の通常時の動作を示す図である。ＳＯＮＥＴ網−ＢＬＳＲ左周り６０＃Ｌより受信されたＯＣ４８がＯＣ４８イースト３４＃２ＥでＳＴＳ１×２４に分離され、回線交換部３２＃２でＥＴＨＥＲインタフェース部３０＃２１，３０＃２２に出力されて、ＥＴＨＥＲインタフェース部３０＃２１，３０＃２２でパケットにデマッピングされてＥＴＥＲ網５０＃２１，５０＃２３に送出される。また、図３４は図３１中のＮＥ２０＃３の通常時の動作を示す図であり、ＳＯＮＥＴ網−ＢＬＳＲ右周り６０＃Ｒより受信したＯＣ４８がＯＣ４８ウェスト３４＃３ＷでＳＴＳ１×２４に分離され、回線交換部３２＃３でＥＴＨＥＲインタフェース部３０＃３１に出力されて、ＥＴＨＥＲインタフェース部３０＃３１でパケットにデマッピングされてＥＴＥＲ網５０＃３１に送出される。
【００１５】
図３５はＢＬＳＲネットワークの障害時の経路を示す図である。ＮＥ２０＃１とＮＥ２０＃３間を接続する回線に障害が発生した場合を示している。経路１は障害の影響を受けないので、正常時と同じであり、ＥＴＨＥＲインタフェース部３０＃１１⇔ＯＣ４８ウェスト３４＃１Ｗ⇔ＯＣ４８イースト３４＃２Ｅ⇔ＥＴＨ３０＃２１となる。経路２は、ＯＣ４８イースト３４＃１ＥとＯＣ４８ウェスト３４＃３Ｗの信号が切れたため、次の経路を取る。ＥＴＨＥＲインタフェース部３０＃１２⇔ＯＣ４８ウェスト３４＃１Ｗ⇔ＯＣ４８イースト３４＃２Ｅ⇔ＥＴＨＥＲインタフェース部３０＃３１の経路となる。経路３はＰＣＡで、他にＮＵＴ指定されていないため予備回線を持たない。よって、断となる。このとき、各ＮＥ２０＃ｉ（ｉ＝１〜３）は次のような状態となる。
【００１６】
図３６は図３１中のＮＥ２０＃１の動作説明図（障害時）である。図３６に示すように、回線交換部３２＃１はＥＴＨＥＲインタフェース部３０＃１２とＯＣ４８ウェスト３４＃１Ｗとの間で回線交換を行う。ＥＴＨＥＲインタフェース部３０＃１３はＥＴＨＥＲインタフェース部３０＃１２に接続先を使われたので繋ぐ先が無い。図３７は図３１中のＮ２０＃２の動作説明図（障害時）である。図３７に示すように、回線交換部３２＃２はＥＴＨＥＲインタフェース部３０＃２３との間で回線交換を行っていたＯＣ４８イースト３４＃２ＥとＯＣ４８ウェスト３４＃２Ｗとの間で回線交換を行う。ＥＴＨＥＲインタフェース部３０＃２２はＥＴＨＥＲインタフェース部３０＃１２のために接続先を使われたので繋ぐ先がない。図３８は図３１中のＮ２０＃３の動作説明図（障害時）である。図３８に示すように、回線交換部３２＃３はＯＣ４８イースト３４＃３ＥとＥＴＨＥＲインタフェース部３０＃３１との間で回線交換を行う。
【００１７】
このように、従来のＢＬＳＲ切替で予備回線を現用回線と見なして使用するＰＣＡは、障害が発生しても救済されない。もともと、ＰＣＡの発想は予備回線有効活用すべく信号を流しているために救済することまでは考えていないからである。
【００１８】
【発明が解決しようとする課題】
しかしながら、従来では以下の問題点がある。従来はパケットオーバーソネットのように回線を伝播する情報がコネクションレス型であるにも関わらずコネクション型として取り扱っていた。そのため、前述したように回線単位での救済しかできず、効率的に予備回線を利用している形にはならない。
【００１９】
本発明の目的は、コネクション型だけでなくコネクションレス型の情報も取り扱う型で運用されるＳＯＮＥＴ／ＳＤＨ規格ネットワークの予備回線を効率的に利用する伝送装置を独自規格を用いずに実現する構成で提供することである。
【００２０】
【課題を解決するための手段】
本発明の一側面によれば、複数の非同期網及び複数のＳＯＮＥＴ／ＳＤＨ網を収容する伝送装置であって、それぞれが前記非同期網との間でパケットを入出力する非同期網終端部及び前記パケットとＳＯＮＥＴ／ＳＤＨフレーム間の変換を行うマッピング部を有する複数の非同期網インタフェース部と、それぞれが前記ＳＯＮＥＴ／ＳＤＨ網をインタフェースする複数のＳＯＮＥＴ／ＳＤＨ網インタフェース部と、回線設定に基づいて、前記複数のマッピング部と前記複数のＳＯＮＥＴ／ＳＤＨ網インタフェース部間の回線交換を行う回線交換部と、複数の非同期網インタフェース部の中で予備回線として使用される第１非同期網インタフェース部に設けられたバッファと、前記非同期網に係わる経路上のＳＯＮＥＴ／ＳＤＨ網に回線障害が発生したとき、当該非同期網を収容する非同期網終端部より出力されるパケット及び前記第１非同期網インタフェース部の非同期網終端部より出力されるパケットにそれぞれ該非同期網終端部を識別する識別子を付加して前記バッファに書き込み、該バッファに書き込まれたパケットを読み出す制御部とを具備したことを特徴とする伝送装置が提供される。
【００２１】
好ましくは、前記制御部は前記第１非同期網インタフェース部のマッピング部より出力されるパケットに付加された識別子に該当する非同期網終端部に当該パケットを出力する。
【００２２】
更に好ましくは、前記制御部は、前記非同期網に係わる経路上の同期網に回線障害が発生した当該非同期網及び前記第１非同期網インタフェース部が収容する非同期網のそれぞれに回線容量を割り当て、当該回線容量を越えた前記第１非同期網インタフェース部の非同期網終端部より出力されるパケットを破棄することにより、前記第１非同期網インタフェース部の非同期網終端部より出力されるパケットに優先して前記非同期網に係わる経路上の同期網に回線障害が発生した当該非同期網を収容する非同期網終端部より出力されるパケットを制御する。
【００２３】
【発明の実施の形態】
本発明の実施形態を説明する前に本発明の原理を説明する。図１は本発明の原理図である。図１に示すように、複数のＮＥ１００＃ｉ（ｉ＝１，２，３）がネットワークを構成している。ＮＥ１００＃ｉは、複数の非同期網インタフェース部１０２＃ｉｊ（ｊ＝１，２，…），１０４＃ｉ、回線交換部１０６＃ｉ及び複数のＳＯＮＥＴ／ＳＤＨ網インタフェース部１０８＃ｉｊ（ｊ＝１，２，…）を具備する。非同期網インタフェース部１０２＃ｉｊ，１０４＃ｉは、非同期網終端部１１０＃ｉｊ，１２０＃ｉ及びマッピング部１１２＃ｉｊ，１２２＃ｉを有する。第１非同期網インタフェース部１０４＃ｉには、バッファ１２４＃ｉが設けられている。ＮＥ１００＃ｉ（ｉ＝１，２，３）がリングネットワークを形成している。
【００２４】
ＮＥ１００＃１について、図１に示すように、経路１が非同期網終端部１１０＃１１⇔ＳＯＮＥＴ／ＳＤＨ網インタフェース部１０８＃１１⇔ＳＯＮＥＴ／ＳＤＨ網インタフェース部１０８＃２１⇔非同期網終端部１１０＃２１である。経路２が非同期網終端部１１０＃１２⇔ＳＯＮＥＴ／ＳＤＨ網インタフェース部１０８＃１２⇔同期網インタフェース部１１０＃３２⇔非同期網終端部１１０＃３１である。経路３が非同期網終端部１２０＃１⇔ＳＯＮＥＴ／ＳＤＨ網インタフェース部１０８＃１１⇔ＳＯＮＥＴ／ＳＤＨ網インタフェース部１０８＃２１⇔非同期網インタフェース部１２０＃２である。
【００２５】
ここで、経路２のＳＯＮＥＴ／ＳＤＨ網インタフェース部１０８＃１２⇔ＳＯＮＥＴ／ＳＤＨ網インタフェース部１０８＃３２間の回線障害が発生したものとする。制御部１０９＃１は、経路２を非同期網終端部１１９＃１２⇔ＳＯＮＥＴ／ＳＤＨ網インタフェース部１０８＃１１⇔ＳＯＮＥＴ／ＳＤＨ網インタフェース部１０８＃２１⇔バッファ１２４＃２⇔ＳＯＮＥＴ／ＳＤＨ網インタフェース部１０８＃２２⇔ＳＯＮＥＴ／ＳＤＨ網インタフェース部１０８＃３１⇔非同期網終端部１０２＃３１の経路２’に切り替える。
【００２６】
制御部１０９＃１は、非同期網終端部１１０＃１２，１２０＃１が受信したパケットに識別子を付加してバッファ１２４＃１に書き込み、バッファ１２４＃１よりパケットを読み出し、マッピング部１２２＃１に出力する。パケットは、マッピング部１２２＃１でＳＯＮＥＴ／ＳＤＨフレームにマッピングされる。ＳＯＮＥＴ／ＳＤＨフレームはＳＯＮＥＴ／ＳＤＨ網インタフェース部１０８＃１１でＳＯＮＥＴ／ＳＤＨ網側のＳＯＮＥＴ／ＳＤＨフレームに多重化されて、同期網に送出される。
【００２７】
ＳＯＮＥＴ／ＳＤＨフレームは、ＳＯＮＥＴ／ＳＤＨ網インタフェース部１０８＃２で受信されて、回線交換部１０６＃２を経由して、マッピング部１２２＃２でパケットにデマッピングされる。制御部１０９＃２はパケットに付加された識別子よりパケットを非同期網終端部１２０＃２に出力すべきか他の非同期網に中継すべきであるかを判断して、非同期網終端部１２０＃２への出力やＳＯＮＥＴ／ＳＤＨ網への中継のための制御を行う。このように回線障害が発生したとき、回線がシェアされるので、回線の使用効率が向上する。
【００２８】
第１実施形態
図２は本発明の第１実施形態のネットワーク構成図であ。図２に示すように、ＮＥ２００＃ｉ（ｉ＝１，２，３）によりリングネットワークが構成されている。本実施形態では、ＢＬＳＲの勧告に従って回線障害時の回線切替を行う。回線障害が発生していない通常状態でのＮＥ２００＃１についての経路１，２，３は、破線、鎖線、一点鎖線で示すように図３１と同様である。ＥＴＨＥＲインタフェース部２１４＃ｉは、予備回線を、ＰＣＡで運用している。
【００２９】
図３は、図２中のＮＥ２００＃ｉの構成図の一例を示す図である。図３に示すように、ＮＥ２００＃ｉは、複数の現用回線部２１０＃ｉｊ（ｊ＝１，２），２１２＃ｉｊ（ｊ＝１，２）、予備回線部２１４＃ｉ、回線交換部３２＃ｉ及び制御部２１８＃ｉを有する。現用回線部（ＥＴＨＥＲインタフェース部）２１０＃ｉはＥＴＨＥＲ網を収容するＥＴＨＥＲインタフェース盤であり、ＮＥ２００＃ｉのスロットに挿入されている。ここでは、２枚の現用回線部２１０＃ｉｊ（ｊ＝１，２）の場合を示しているが、運用に応じてその枚数が増減する。また、運用によっては、ＮＥ２００＃ｉを予備回線部２１４＃ｉ，２１６＃ｉを備えない従来装置と同じ構成としても良い。現用回線部２１０＃ｉｊは、ＥＴＨＥＲ終端部２２０＃ｉｊｋ（ｋ＝１，２）及びＳＯＮＥＴマッピング部２２２＃ｉｊｋ（ｋ＝１，２）を有する。
【００３０】
ＥＴＨＥＲ終端部２２０＃ｉｊｋは次の機能を有する。（ｉ）ＥＴＨＥＲ網よりパケットを受信する機能。（ｉｉ）バッファ２３４＃ｉ又はＳＯＮＥＴマッピング部２２２＃ｉｊｋよりパケットを入力してＥＴＨＥＲ網に送出する機能。
【００３１】
ＳＯＮＥＴマッピング部２２２＃ｉｊｋは、次の機能を有する。（ｉ）入力されたパケットを、同期フレーム、例えば、ＳＴＳ１×２４にマッピングして回線交換部３２＃ｉに出力する機能。（ｉｉ）回線交換部３２＃ｉより同期フレーム、例えば、ＳＴＳ１×２４を入力してパケットにデマッピングする機能。
【００３２】
ＥＴＨＥＲ終端部２２０＃ｉｊｋの出力側とバッファ２３４＃ｉは信号線２２４＃ｉｊｋにより接続されている。信号線２２４＃ｉｊｋは、ＥＴＨＥＲ終端部２２０＃ｉｊｋに係わる経路に回線障害が発生したとき、ＥＴＨＥＲ終端部２２０＃ｉｊｋが受信したパケット及びＥＴＨＥＲ終端部２３０＃ｉが受信したパケットをバッファ２３２＃ｉに書き込み、ＥＴＨＥＲ終端部２２０＃ｉｊｋに係わる切替経路と予備回線部２１４に係わる経路とで回線をシェアするためである。信号線２２２＃ｉｊｋを用いた切替制御は以下のものが考えられる。
【００３３】
（ｉ）ＥＴＨＥＲ終端部２２０＃ｉｊｋが受信したパケットをバッファ２３２＃ｉを通して、通常状態では、ＳＯＮＥＴマッピング部２２２＃ｉｊｋに出力し、ＥＴＨＥＲ終端部２２０＃ｉｊｋに係わる経路に回線障害が発生した場合は、ＳＯＮＥＴマッピング部２３４＃ｉ１に出力する方法。この方法は、制御部２１８＃ｉがバッファ２３４＃ｉの制御を行う。
【００３４】
（ｉｉ）信号線２２４＃ｉｊｋとＥＴＨＥＲ終端部２２０＃ｉｊｋとの間にスイッチを設け、通常状態では、スイッチをオフして、直接ＳＯＮＥＴマッピング部２２２＃ｉｊｋにパケットを出力し、ＥＴＨＥＲ終端部２２０＃ｉｊｋに係わる経路に回線障害が発生している時、スイッチをオンして、バッファ２３４＃ｉを経由してＳＯＮＥＴマッピング部２３２＃ｉ１に出力する方法。スイッチの制御は制御部２１８＃ｉが行う。
【００３５】
回線交換部３２＃ｉは、制御部２１８＃ｉの制御に従って、入力されたＳＴＳ１をそれぞれ該当するポートに出力する。現用回線部２１２＃ｉｊは、ＳＯＮＥＴ入出力部２４０＃ｉｊｋ（ｋ＝１，２）を有する。ＳＯＮＥＴ入出力部２４０＃ｉｊｋは、次の機能を有する。（ｉ）回線交換部３２＃ｉよりＳＴＳ１×２４を入力するとＯＣ４８に多重化して、ＳＯＮＥＴ網に送出する機能。（ｉｉ）ＳＯＮＥＴ網よりＯＣ４８を受信するとＳＴＳ１に分離して、回線交換部３２＃ｉに出力する機能。
【００３６】
予備回線部２１４＃ｉは、ＥＴＨＥＲ終端部２３０＃ｉ、ＳＯＮＥＴマッピング部２３２＃ｉｊ（ｊ＝１，２）及びバッファ２３４＃ｉを有する。ＥＴＨＥＲ終端部２３０＃ｉは、ＥＴＨＥＲ終端部２２０＃ｉｊｋと実質的に同一である。ＳＯＮＥＴマッピング部２３２＃ｉｊ（ｊ＝１，２）は、ＳＯＮＥＴマッピング部２２０＃ｉｊｋと実質的に同一である。ＳＯＮＥＴマッピング部２３２＃ｉ１は、回線障害が発生していないとき、ＥＴＨＥＲ終端部２３０＃ｉが収容するＥＴＨＥＲ網との間でパケットを入出力するため、回線障害が発生したとき、ＥＴＨＥＲ終端部２３０＃ｉが収容する非同期網及び回線障害経路に係わるＥＴＨＥＲ終端部２２０＃ｉｊｋが収容する非同期網間でパケットを入出力するためのものである。一方、ＳＯＮＥＴマッピング部２３２＃ｉ２は、ＳＯＮＥＴマッピング部２３２＃ｉ１が受信したＳＴＳ×１２がＰＣＡ回線と切替回線とによりシェアされていることから、切替回線の経路上のＳＯＮＥＴ網にフレームを中継する場合に使用される。
【００３７】
バッファ２３４＃ｉは、以下のパケットを保持するためのバッファメモリである。（ｉ）回線障害が発生した時、回線障害に係わるＥＴＨＥＲ終端部２２０＃ｉｊｋが受信したパケット及びＥＴＨＥＲ終端部２３０＃ｉが受信したパケット。尚、通常状態でもＥＴＨＥＲ終端部２３０＃ｉが受信したパケットをバッファ２３４＃ｉに書き込んでも良い。（ｉｉ）ＳＯＮＥＴマッピング部２３２＃ｉ１が入力したＳＴＳ１×２４に収容されたパケット。尚、通常状態でもＳＯＮＥＴマッピング部２３２＃ｉが入力したＳＴＳ１×２４に収容されたパケットをバッファ２３４＃ｉに書き込んでも良い。
【００３８】
バッファ２３４＃ｉは、ＥＴＨＥＲ終端部２３０＃ｉ，２２０＃ｉｊｋ及びＳＯＮＥＴマッピング部２３４＃ｉ１毎に設けることも可能であり、これら全てでシェアすることも可能である。
【００３９】
制御部２１８＃ｉは、ＡＰＳ切替制御部２５０＃ｉ、回線交換制御部２５２＃ｉ及びバッファ制御部２５４＃ｉを有する。ＡＰＳ切替制御部２５０＃ｉは次の機能を有する。（ｉ）経路上の回線障害を監視する機能。ＢＬＳＲ構成では、各ＮＥ２００＃ｉ（ｉ＝１，…）間で、切替情報を共有している。それらは、アイドル状態、スイッチ状態、パススルー状態として管理されている。障害が発生していないとき、各ＮＥ２００＃ｉ（ｉ＝１，…）とアイドル状態である。また、障害が発生した場合には、例えば、ＮＥ２００＃１であれば、ＰＣＡを持つアッド／ドロップのスイッチ局である。Ｎ２００＃２は、ＰＣＡを持つアッド／ドロップのパススルー局となる。ＮＥ２００＃３はアッド／ドロップを持つスイッチ局となる。（ｉｉ）回線障害が発生すると、ＢＬＳＲの勧告に従って切替経路を決定する機能。このとき、切替回線がＰＣＡ（予備回線）で運用されていた経路上の回線を含む場合には、切替回線とＰＣＡ回線とで回線をシェアするよう制御する。（ｉｉｉ）経路変更に伴う回線設定変更を回線交換制御部２５２＃ｉに指示する機能。（ｉｖ）以下に説明する、回線切替に伴うバッファ２３４＃ｉの制御を指示する機能。
【００４０】
バッファ制御部２５４＃ｉは次の機能を有する。
【００４１】
（１）　パケット受信時の制御
図４はパケット受信時の制御を示す図である。
【００４２】
（ｉ）　　パケット書き込み制御
図５はパケットのフォーマットを示す図である。図６は書き込み制御を示すフローチャートである。ステップＳ２において、障害が発生しているか否かを判定する。障害が発生している時、ステップＳ４に進む。障害が発生していない時、ステップＳ１４に進む。ステップＳ４において、救済すべき回線であるか否かを判断する。救済すべき回線ならば、ステップＳ６に進む。救済すべき回線でなければ、ステップＳ１４に進む。救済すべき回線とは、回線障害に係わる現用回線を救済する必要のある現用回線及び現用回線を救済する時に救済するＰＣＡ回線である。救済しなくても良いと明示的に指示された場合、例えば、回線障害がＮＵＴ指定されており、当該回線を経路とする現用回線は救済の対象としない。運用のバリエーションを高めるためである。
【００４３】
ステップＳ６において、図４及び図５に示すように、先頭に識別子、末尾に識別子と送信パケットより求められたフレーム・チェック・シーケンス（ＦＣＳ）が加えられる。この識別子は、回線障害が発生したとき、回線がＰＣＡ回線と切替回線とでシェアされることから、パケットがどこから来たのか、即ち、どちらへ出力すれば良いかを識別するための必要となるものである。識別子は、ＮＥ２００＃ｉが収容するＥＴＨＥＲ終端部２２０＃ｉｊｋ（ｊ＝１，…，ｋ＝１，…），２３０＃ｉの数に依存する。ＮＥが８回線（現用７回線＋予備１回線）を収容するなら、４ビットの識別子となる。例えば、予備回線の識別子を’０’と定義して運用する。尚、通常状態では、回線がＰＣＡ回線により独占されることから識別子を付与する必要がない。
【００４４】
ステップＳ８において、バッファ２３４＃ｉへパケットを蓄積する。例えば、図４に示すように、バッファ２３２＃ｉがＥＴＨＥＲ終端部２２０＃ｉｊｋ，２３０＃ｉ毎に設けられている場合は、ＥＴＨＥＲ終端部２２０＃ｉｊｋ，２３０＃ｉの識別子に該当するバッファにパケットを書き込む。ステップＳ１０において、バッファ２３４＃ｉに書き込まれたパケットは、後述するバッファ読み出し制御により読み出され、ステップＳ１２に進む。ステップＳ１４において、パケットはＳＯＮＥＴマッピング部２３２＃ｉ１へ通過させられる。尚、通常状態でもバッファ２３４＃ｉにパケットを書き込む場合は、パケットを受信したＥＴＨＥＲ終端部２２０＃ｉｊｋ，２３０＃ｉに対応するＳＯＮＥＴマッピング２２２＃ｉｊｋ，２３２＃ｉ１へ通過させる。救済すべき回線でない場合は、回線切替を行わずに、その回線について通常状態と同じＳＯＮＥＴマッピング部２２０＃ｉｊｋにパケットを通過させる。ステップＳ１６において、パケットはＯＣ４８に収容されて、ＳＯＮＥＴ網より送出される。
【００４５】
（ｉｉ）　パケットの読み出し制御
パケットの読み出し制御とは、回線障害時には、回線がＰＣＡ回線と代替回線によりシェアされることから、回線の容量を越えてパケットが入力されることも考えられることより、回線の容量を越えた場合にはいずれのパケットを破棄するかを制御することである。図４に示すように、回線容量を越えた場合の制御のためにパケットの優先順位を設定しておき、最低容量分は優先順位に関わらずパケットを送出し、残りの容量で優先順位に応じてパケットを送出するようにする。優先順位は、識別子毎、パケットの宛先アドレス、パケットの送信元アドレス、ネットワーク監視パケット等により設定する。この結果、回線容量が超えた場合には、優先順位の高いパケットからＳＯＮＥＴフレームに変換されていき、優先順位の低いパケットは破棄されることになる。
【００４６】
図７はパケットの読み出し制御を示すフローチャートである。ステップＳ２０において、通過させる識別子毎にパケットをカウントする。識別子毎にスループットを測定するためである。ステップＳ２２において、識別子について設定したスループット（最低容量分）を超過したか否かを判定する。スループットを超過した場合は、ステップＳ２４に進む。識別子について、スループットを超過していない場合は、ステップＳ１４に進む。ステップＳ１０において、破棄できないパケットであるか否かを判断する。破棄できないパケットであれば、ステップＳ２６に進む。破棄できないパケットとして、例えば、特定の宛先（送信先ＭＡＣアドレス）を持つパケット、特定の発信元（送信元ＭＡＣアドレスを持つパケット、ネットワーク監視フレーム等の優先度の高いパケットである。破棄できないパケットならば、ステップＳ２６に進む。破棄できるパケットであれば、ステップＳ３０に進む。ステップＳ２６において、パケットをバッファ２３４＃ｉより読み出し、ＳＯＮＥＴマッピング部２２２＃ｉ１に通過させる。ステップＳ２８において、パケットがＯＣ４８に収容されてＳＯＮＥＴ網より送出される。ステップＳ３０において、パケットを破棄する。
【００４７】
（２）　フレーム受信に関わるバッファ２３４＃ｉの読み出し制御
図８はフレーム受信制御を示すフローチャートである。ステップＳ３０において、ＳＯＮＥＴマッピング部２３２＃ｉ１より出力されたパケットに識別子がついたパケットであるか否かを判断する。識別子がついたパケットであれば、ステップＳ３２に進む。識別子がついていないパケットならば、ステップＳ４０へ進む。識別子がついていないパケットとは、通常状態で送出されたパケットをいう。ステップＳ３２において、ＦＣＳが正しいか否かを判断する。ＦＣＳが正しいならば、ステップＳ３４に進む。ＦＣＳが正しくなければ、ステップＳ４４に進む。ステップＳ３４において、パケットをバッファ２３４＃ｉに蓄積する。
【００４８】
ステップＳ３６において、バッファ２３４＃ｉに蓄積したパケットが自ＮＥ２００＃ｉで終端するか否かを識別子より判定する。自ＮＥ２００＃ｉで終端しない場合は、ステップＳ４０に進む。自ＮＥ２００＃ｉで終端する場合は、ステップＳ３８に進む。ステップＳ３８において、パケットの先頭の識別子を取る。ステップＳ４０において、フレームが自ＮＥ２００＃ｉで終端する場合に付加されていた識別子に該当するＥＴＨＥＲ終端部に通過させ、パケットが自ＮＥ２００＃ｉで終端しない場合にＳＯＮＥＴマッピング部２３２＃ｉ２に通過させる。ステップＳ４２において、受信されたパケットは回線より送出される。ステップＳ４２において、パケットを破棄する。
【００４９】
回線交換制御部２５２＃ｉは、次の機能を有する。（ｉ）回線障害が発生していないときには、回線設定に従って、回線交換部３２＃ｉを制御する機能。（ｉｉ）回線障害が発生したとき、ＡＰＳ切替制御部２５０＃ｉの切替指示に従って、回線交換部３２＃ｉを制御する機能。
【００５０】
以下、図２の動作説明をする。
【００５１】
（１）　正常時の動作
図２に示すように、ＮＥ２００＃１について、ＥＴＨＥＲ信号を以下の３つの経路１，２，３により通す。図２中の破線で示すように、経路１（現用回線）は、ＥＴＨＥＲインタェース部２１０＃１１⇔ＯＣ４８ウェスト２１２＃１１⇔ＯＣイースト２１２＃２２⇔ＥＴＨＥＲインタフェース部２１０＃２１である。図２中の点線で示すように、経路２（現用回線）は、ＥＴＨＥＲインタフェース部２１０＃１２⇔ＯＣ４８イースト２１２＃１２⇔ＯＣ４８ウェスト２１２＃３１⇔ＥＴＨＥＲインタフェース部２２０＃３１である。図２中の一点鎖線で示すように、経路３（ＰＣＡ回線）は、ＥＴＨＥＲインタフェース部２１４＃１⇔ＯＣ４８ウェスト２１２＃１１⇔ＯＣイースト２１２＃２２⇔ＥＴＨＥＲインタフェース部２１４＃２である。
【００５２】
図９はＮＥ２００＃１の動作説明図である。ＥＴＨＥＲ終端部２２０＃１１がＥＴＨＥＲ網３００＃１１より受信したパケットは、バッファ２３４＃１を経由して、あるいは直接、ＳＯＮＥＴマッピング部２２２＃１１に入力され、ＳＴＳ１×２４にマッピングされて回線交換部３２＃１に出力される。ＥＴＨＥＲ終端部２２０＃１２がＥＴＨＥＲ網３００＃１２より受信したパケットは、バッファ２３４＃１を経由して、あるいは直接、ＳＯＮＥＴマッピング部２２２＃１２に入力され、ＳＴＳ１にマッピングされて、回線交換部３２＃１に出力される。ＥＴＨＥＲ終端部２３０＃１がＥＴＨＥＲ網３００＃１３より受信したパケットは、バッファ２３４＃１を経由して、あるいは直接、ＳＯＮＥＴマッピング部２３２＃１１に入力されて、ＳＴＳ１×２４にマッピングされて回線交換部３２＃１に出力される。回線交換部３２＃１は、回線設定に従って、図９に示すように回線交換する。
【００５３】
図１０はＮＥ２００＃２の動作説明図である。ＥＴＨＥＲ終端部２２０＃２１がＥＴＨＥＲ網３００＃２１より受信したパケットは、バッファ２３４＃２を経由して、あるいは直接、ＳＯＮＥＴマッピング部２２２＃２１に入力され、ＳＴＳ１にマッピングされて回線交換部３２＃２に出力される。ＥＴＨＥＲ終端部２３０＃２がＥＴＨＥＲ網３００＃２２より受信したパケットは、バッファ２３４＃２を経由して、あるいは直接、ＳＯＮＥＴマッピング部２３２＃２１に出力される。回線交換部３２＃２は、回線設定に従って、図１０に示すように回線交換する。
【００５４】
図１１はＮＥ２００＃３の動作説明図である。ＥＴＨＥＲ終端部２２０＃３１がＥＴＨＥＲ網３００＃３１より受信したパケットは、ＳＯＮＥＴマッピング部２２２＃３１に入力され、ＳＴＳ１にマッピングされて、回線交換部３２＃３に出力される。回線交換部３２＃３は、回線設定に従って、図１１に示すように回線交換する。
【００５５】
（２）　障害時の動作
図１２は図２の障害時の経路を示す図である。図１２中の×印に示すように、ＮＥ２００＃１のＯＣ４８イースト２１２＃１２とＮＥ２００＃３のＯＣ４８ウェスト２１２＃３１を接続する回線に障害が発生したとする。ＮＥ２００＃１，２００＃２，２００＃３は、回線障害を検出すると、ＢＬＳＲの勧告に従って、図１２に示すように、経路１，２，３を次のように経路を切り替える。図１２中の破線で示すように、経路１は、障害の影響を受けないので、正常時と同じであり、ＥＴＨＥＲインタェース部２１０＃１１⇔ＯＣ４８ウェスト２１２＃１１⇔ＯＣ４８イースト２１２＃２２⇔ＥＴＨＥＲインタフェース部２１０＃２１である。図１２中の点線で示すように、経路２は、ＯＣ４８イースト２１２＃１２とＯＣ４８ウェスト２１２＃３１の信号が切れたので、ＥＴＨＥＲインタフェース部２１０＃１２⇔ＯＣ４８ウェスト２１２＃１１⇔ＯＣ４８イースト２１２＃２２⇔ＯＣ４８ウェスト２１２＃２１⇔ＯＣ４８イースト２１２＃３２⇔ＥＴＨＥＲインタフェース部２１０＃３１である。図１２中の一点鎖線で示すように、経路３は、障害の影響を受けるのが、ＥＴＨＥＲインタフェース部２１０＃１２とシェアするので、経路は正常時と同じであり、ＥＴＨＥＲインタフェース部２１４＃１⇔ＯＣ４８ウェスト２１２＃１１⇔ＯＣ４８イースト２１２＃２２⇔ＥＴＨＥＲインタフェース部２１０＃２２である。
【００５６】
図１３はＮＥ２００＃１の動作説明図である。図１４は回線のシェアを示す図である。ＥＴＨＥＲ終端部２２０＃１２がＥＴＨＥＲ網３００＃１２より受信したパケットは、図５に示したようにＥＴＨＥＲ終端部２２０＃１２を識別する識別子が付加されて、図１４に示すようにバッファ２３４＃１に書き込まれる。一方、ＥＴＨＥＲ終端部２３０＃１がＥＴＨＥＲ網３００＃１３より受信したパケットは、ＥＴＨＥＲ終端部２３０＃１の識別子が付加されて、バッファ２３４＃１に書き込まれる。バッファ２３４＃１に書き込まれたパケットは、読み出されると、識別子毎にカウントされて、スループットが上限を超えるかチェックされる。スループットが上限を超えると、上述した優先制御が行われからＳＯＮＥＴマッピング部２３２＃１１に出力される。ＳＯＮＥＴマッピング部２３２＃１１によりパケットがＳＴＳ１×２４にマッピングされて、回線交換部３２＃１でＯＣ４８ウェスト２１２＃１１側に回線交換される。
【００５７】
図１５はＮＥ２００＃２の動作説明図である。図１６は回線のシェアを示す図である。ＯＣ４８イースト２１２＃２２がＳＯＮＥＴ網−ＢＬＳＲ左まわり３１０＃Ｌより受信したＯＣ４８はＳＴＳ１×４８に分離されて、回線交換部３２＃２によりＳＯＮＥＴマッピング部２３２＃２１に出力される。ＳＴＳ１×４８はＳＯＮＥＴマッピング部２３２＃２１よりパケットにデマッピングされてバッファ２３４＃２に書き込まれる。バッファ２３４＃２に書き込まれたパケットは、付加された識別子より、ＥＴＨＥＲインタフェース部２３０＃２で終端するものは、識別子を取ってＥＴＨＥＲインタフェース部２３０＃２に出力し、ＥＴＨＥＲインタフェース部２３０＃２で終端しないものは、識別子を取らずにＳＯＮＥＴマッピング部２３２＃２２に出力する。パケットは、ＳＯＮＥＴマッピング部２３２＃２２によりＳＴＳ１×２４にマッピングされて、回線交換部３２＃２によりＯＣ４８ウェスト２１２＃２１に回線交換される。
【００５８】
図１７はＮＥ２００＃３の動作説明図である。ＮＥ２００＃３では、予備回線を使用しないので、従来装置と同様であり、ＥＴＨＥＲ終端部２２０＃３１がＥＴＨＥＲ網３００＃３１より受信したパケットは、ＳＯＮＥＴ網−ＢＬＳＲ左まわり３１０＃ＬよりＯＣ４８イースト２２１＃２２がＯＣ４８を受信すると、ＳＴＳ１×２４に分離して、回線交換部３２＃３に出力する。回線交換部３２＃３は、回線切替に従ってＯＣ４８イースト２２１＃２２から出力されるＳＴＳ１×２４をＥＴＨＥＲインタフェース部２１０＃３１に出力する。
【００５９】
尚、複数の回線障害が発生したときにも、複数の現用回線と予備回線により回線がシェアされる。以上説明したように本実施形態では、ＢＬＳＲ切替方式の場合には、ＰＣＡ回線と切替回線がシェアされるので回線効率を向上させることができる。本実施形態では、ＢＬＳＲ切替方式の場合を説明したが、ＵＰＳＲ切替方式の場合にも適用可能である。また、Ｐａｃｋｅｔ　ｏｖｅｒ　ＳＯＮＥＴ，ＡＴＭ　ｏｖｅｒ　ＳＯＮＥＴ，ＥＴＨＥＲ　ｏｖｅｒ　ＳＯＮＥＴ，ＩＰ　ｏｖｅｒ　ＳＯＮＥＴ等コネクションレス型データ情報をＳＯＮＥＴにて伝送する場合に適用可能である。更に、この伝送装置に、音声網を終端し、音声網から入力される音声情報をＳＯＮＥＴ／ＳＤＨフレームに収容する音声インタフェース部を回線交換部に接続するだけで、他の構成を全く変更することなくＳＯＮＥＴ／ＳＤＨ網に音声信号とデータ信号が混在するネットワークを構築することができる。
【００６０】
第２実施形態
図１８は本発明の第２実施形態によるネットワーク構成図であり、１：Ｎ（ＡＰＳ）の場合を示している。ここでは、Ｎ＝２の場合を例に説明する。尚、ＡＰＳ（１＋１）の構成の場合は、Ｎ＝１として、図１８を適用する。図１８に示すように、ＥＴＨＥＲインタフェース部３６０＃１ｊ（ｊ＝１，２）とＥＴＨＥＲインタフェース部３６０＃２ｊ（ｊ＝１，２）間がＯＣ１２インタフェース部３６２＃１ｊ（ｊ＝１，２），３６２＃２ｊ（ｊ＝１，２）により回線接続されている。ＯＣ１２インタフェース部３７０＃１，３７０＃２は、予備回線であるが、本実施形態では、回線効率化のために、通常状態において、ＥＴＨＥＲインタフェース部３７０＃１，３７０＃２間の通信に用い、ＯＣ１２インタフェース部３６２＃１ｊ（ｊ＝１，２）⇔ＯＣ１２インタフェース部３６２＃２ｊ（ｊ＝１，２）間の回線障害時にでは、ＥＴＨＥＲインタフェース部３７０＃１，３７０＃２とＥＴＨＥＲインタフェース部３６０＃１ｊ，３６０＃２ｊ
とでシェアするものとする。
【００６１】
図１９は図１８中のＮＥ３５０＃ｉの構成図である。ＥＴＨＥＲ終端部３８０＃ｉｊ（ｊ＝１，２），３９０＃ｉは、図３中のＥＴＨＥＲ終端部２２０＃ｉｊｋと実質的に同一である。ＳＯＮＥＴマッピング部３８２＃ｉｊ（ｊ＝１，２），３９２＃ｉは、パケットをＳＴＳ１×２４ではなく、ＳＴＳ１×１２にマッピングする点を除いて、図３中のＳＯＮＥＴマッピング部２２２＃ｉｊｋと実質的に同一である。バッファ３９４＃ｉは図３中のバッファ２３４＃ｉと実質的に同一である。制御部４００＃ｉは、ＡＰＳ制御部４１０＃ｉ、回線制御部４１２＃ｉ及びバッファ制御部４１４＃ｉを有するが、切替方式がＢＬＳＲ方式からＡＰＳ方式に変わるのみで基本動作は図３中の制御部２１８＃ｉと同じである。
【００６２】
以下、図１８の動作説明をする。
【００６３】
（１）　正常時の動作
図２０は図１８の正常時の動作説明図である。図２０に示すように、ＥＴＨＥＲインタフェース部３５０＃１ｊ（ｊ＝１，２）⇔ＯＣ１２インタフェース部３６２＃１ｊ（ｊ＝１，２）⇔ＯＣ１２インタフェース部３６２＃２ｊ（ｊ＝１，２）⇔ＥＴＨＥＲインタフェース部３５０＃２ｊ（ｊ＝１，２）＃２の経路が設定されている。
【００６４】
（２）　障害時の動作
図２１は図１８の障害時の動作を説明するための図である。図２１中の×印に示すように、ＯＣ１２インタフェース部３６２＃１１とＯＣ１２インタフェース部３６２＃２１間に回線障害が発生したとする。図２２は回線のシェアを示す図である。制御部４００＃１はＥＴＨＥＲ終端部３８０＃１１，３９０＃１より出力されたパケットに識別子を付加してからバッファ３９４＃１に書き込む。バッファ３９４＃１に書き込まれたパケットは読み出されて、ＳＯＮＥＴマッピング部３９２＃１に出力されて、ＳＯＮＥＴマッピング部３９２＃１によりＳＴＳ１×１２にマッピングされる。ＳＴＳ１×１２は、回線交換部３２＃１で回線交換され、ＯＣ１２インタフェース部３７２＃１でＯＣ１２に多重化され、ＯＣ１２インタフェース部３７２＃２で受信されて、ＳＴＳ１×１２に分離される。ＳＴＳ１×１２は、回線交換部３２＃２で回線交換され、ＳＯＮＥＴマッピッグ部３９２＃２でパケットにデマッピングされて、バッファ３９４＃２に蓄積されて、識別子が削除されて、識別子に該当するＥＴＨＥＲ終端部３８０＃１ｊ（ｊ＝１，２）に出力される。
【００６５】
更に、ＯＣ１２インタフェース部３６２＃１２とＯＣ１２インタフェース部３６２＃２２間に回線障害が発生したとすると、ＯＣ１２インタフェース部３７０＃１⇔３７０＃２の予備回線が、ＥＴＨＥＲインタフェース部３６０＃１ｊ（ｊ＝１，２）⇔ＥＴＨＥＲインタフェース部３６０＃２ｊ（ｊ＝１，２）及びＥＴＨＥＲインタフェース部３７０＃１⇔ＥＴＨＥＲインタフェース部３７０＃２間でシェアされて、回線の効率化が図れる。
【００６６】
第３実施形態
図２３は本発明の第３実施形態によるネットワーク構成図であり、１：Ｎ（ＡＰＳ）の場合を示している。ここでは、Ｎ＝２の場合を例に説明する。本実施形態では、ＳＯＮＥＴ網の回線の帯域が異なるもの（ＯＣ１２，ＯＣ３，ＯＣ４８）としていること、予備回線の帯域（ＯＣ４８）他の現用回線の帯域（ＯＣ１２，ＯＣ３）よりも大きなものとしている。ＯＣ４８インタフェース部５１４＃１⇔ＯＣ４８インタフェース部５１４＃２の予備回線は、回線障害が発生したとき、ＥＴＨＥＲインタフェース部３７０＃１，３７０＃２と回線障害に係わるＥＴＨＥＲインタフェース部３６０＃１ｊ，３６０＃２ｊとによりシェアされるので、予備回線の帯域を大きくし、帯域を確保することにより、パケットが破棄されることを阻止している。
【００６７】
図２４は図２３中のＮＥ５００＃ｉの構成図であり、図１９中の構成要素と実質的に同一の構成要素には同一の符号を附している。ＥＴＨＥＲインタフェース部５１０＃ｉ２のＳＯＮＥＴマッピング部６００＃ｉ２がパケットをＳＴＳ１×１２ではなくＳＴＳ１×３にマッピングする点を除いてＳＯＮＥＴマッピング３８０＃ｉ１と実質的に同一である。ＥＴＨＥＲインタフェース部５１４＃ｉ中のＳＯＮＥＴマッピング部６０２＃ｉはパケットをＳＴＳ１×１２ではなくＳＴＳ１×２４にマッピングする点を除いてＳＯＮＥＴマッピング部３９２＃ｉと実質的に同一である。ＯＣ３インタフェース部５１０＃ｉ２はＳＴＳ１×３をＯＣ３に多重化する点を除いてＯＣ１２インタフェース部３６２＃ｉ２と実質的に同一である。
【００６８】
ＯＣ１２インタフェース部３６２＃１１⇔ＯＣ１２インタフェース部３６２＃２１やＯＣ３インタフェース部５１２＃１２⇔ＯＣ３インタフェース部５１２＃２２間に回線障害が発生したと時には、ＯＣ４８インタフェース部５１６＃１⇔ＯＣ４８インタフェース部５１６＃２の予備回線が、ＥＴＨＥＲインタフェース部３６０＃１１⇔ＥＴＨＥＲインタフェース部３６０＃２１やＥＴＨＥＲインタフェース部５１０＃１２⇔ＥＴＨＥＲインタフェース部５１０＃２２及びＥＴＨＥＲインタフェース部５１４＃１⇔ＥＴＨＥＲインタフェース部５１４＃２間でシェアされる。このとき、予備回線の回線容量が大きいのでパケットを破棄することなく通信できる。
【００６９】
本実施形態では、現用回線を予備回線に切り替える場合を例に説明しているが、現用回線に障害が発生した場合には他の現用回線や予備回線に障害が発生した場合には現用回線に切り替えることも可能である。この場合は、現用回線も予備回線と同様にバッファや予備のＳＯＮＴマッピング部を設けて、制御部により切り替えを制御する。
【００７０】
本発明は以下の付記を含むものである。
【００７１】
（付記１）　複数の非同期網及び複数のＳＯＮＥＴ／ＳＤＨ網を収容する伝送装置であって、
それぞれが前記非同期網との間でパケットを入出力する非同期網終端部及び前記パケットとＳＯＮＥＴ／ＳＤＨフレーム間の変換を行うマッピング部を有する複数の非同期網インタフェース部と、
それぞれが前記ＳＯＮＥＴ／ＳＤＨ網をインタフェースする複数のＳＯＮＥＴ／ＳＤＨ網インタフェース部と、
回線設定に基づいて、前記複数のマッピング部と前記複数のＳＯＮＥＴ／ＳＤＨ網インタフェース部間の回線交換を行う回線交換部と、
複数の非同期網インタフェース部の中で予備回線として使用される第１非同期網インタフェース部に設けられたバッファと、
前記非同期網に係わる経路上のＳＯＮＥＴ／ＳＤＨ網に回線障害が発生したとき、当該非同期網を収容する非同期網終端部より出力されるパケット及び前記第１非同期網インタフェース部の非同期網終端部より出力されるパケットにそれぞれ該非同期網終端部を識別する識別子を付加して前記バッファに書き込み、該バッファに書き込まれたパケットを読み出す制御部と、
を具備したことを特徴とする伝送装置。
【００７２】
（付記２）　前記制御部は前記第１非同期網インタフェース部のマッピング部より出力されるパケットに付加された識別子に該当する非同期網終端部に当該パケットを出力することを特徴とする付記１記載の伝送装置。
【００７３】
（付記３）　前記制御部は、前記非同期網に係わる経路上の同期網に回線障害が発生した当該非同期網及び前記第１非同期網インタフェース部が収容する非同期網のそれぞれに回線容量を割り当て、当該回線容量を越えた前記第１非同期網インタフェース部の非同期網終端部より出力されるパケットを破棄することにより、前記第１非同期網インタフェース部の非同期網終端部より出力されるパケットに優先して前記非同期網に係わる経路上の同期網に回線障害が発生した当該非同期網を収容する非同期網終端部より出力されるパケットを制御することを特徴とする付記１記載の伝送装置。
【００７４】
（付記４）　前記第１非同期網インタフェース部のＳＯＮＥＴ／ＳＤＨフレームが送出される前記ＳＯＮＥＴ／ＳＤＨ網の帯域は、他のＳＯＮＥＴ／ＳＤＨ網の帯域と異なるものを許すことを特徴とする付記１記載の伝送装置。
【００７５】
（付記５）　前記第１非同期網インタフェース部のＳＯＮＥＴ／ＳＤＨフレームが送出される前記ＳＯＮＥＴ／ＳＤＨ網は、ＡＰＳ（１＋１）又はＡＰＳ（１：Ｎ（Ｎ≧２の整数））、若しくはＢＬＳＲ、ＵＰＳＲの切り替え手順に基づいて切り替えられることを特徴とする付記１記載の伝送装置。
【００７６】
（付記６）　前記第１非同期網インタフェース部に前記マッピング部と同等の機能を有する第２マッピング部を更に設け、前記制御部は、前記制御部は前記同期網について回線障害が発生したとき、ＢＬＳＲの規格に基づいて切り替え、前記第１非同期網インタフェース部のマッピング部より出力されるパケットに付加された識別子に基づいて、当該パケットが収容する非同期網に送出するべきものか他の同期網に送出するべきものかを判断して、他の同期網に送出するべきである場合、前記第２マッピング部に当該パケットを出力することを特徴とする付記２記載の伝送装置。
【００７７】
【発明の効果】
本発明によれば、パケットというコネクションレス型情報をコネクション型にマッピングして伝送する場合に、回線障害が発生したとき、予備回線と現用回線で回線をシェアするので予備回線を効率的に使うことができる。
【図面の簡単な説明】
【図１】図１は本発明の原理図である。
【図２】本発明の第１実施形態のネットワーク構成図である。
【図３】図２中のＮＥの構成図である。
【図４】パケット受信時の制御を示す図である。
【図５】パケットのフォーマットを示す図である。
【図６】パケット書き込み制御を示すフローチャートである。
【図７】パケット読み出し制御を示すフローチャートである。
【図８】フレーム受信制御を示すフローチャートである。
【図９】ＮＥ２００＃１の動作説明図（正常時）である。
【図１０】ＮＥ２００＃２の動作説明図（正常時）である。
【図１１】ＮＥ２００＃３の動作説明図（正常時）である。
【図１２】障害時の経路を示す図である。
【図１３】ＮＥ２００＃１の動作説明図（障害時）である。
【図１４】回線のシェアを示す図である。
【図１５】ＮＥ２００＃２の動作説明図（障害時）である。
【図１６】回線のシェアを示す図である。
【図１７】ＮＥ２００＃３の動作説明図（障害時）である。
【図１８】本発明の第２実施形態のネットワーク構成図である。
【図１９】図１８中のＮＥの構成図である。
【図２０】図１８の動作説明図（正常時）である。
【図２１】図１８の動作説明図（障害時）である。
【図２２】回線のシェアを示す図である。
【図２３】本発明の第３実施形態のネットワーク構成図である。
【図２４】図２３中のＮＥの構成図である。
【図２５】従来のＡＰＳ（１＋１）を示す図である。
【図２６】従来のＡＰＳ（１：２）を示す図である。
【図２７】従来のＡＰＳ（１：２）のネットワーク構成図である。
【図２８】ＡＰＳ（１：２）の動作説明図（正常時）である。
【図２９】ＡＰＳ（１：２）の動作説明図（障害時）である。
【図３０】従来のＢＬＳＲ方式（ＮＵＴ＋ＰＣＡ）を示す図である。
【図３１】従来のＢＬＳＲの切り替え方式を示す図である。
【図３２】図３１中のＮＥ２０＃１の動作説明図（正常時）である。
【図３３】図３１中のＮＥ２０＃２の動作説明図（正常時）である。
【図３４】図３１中のＮＥ２０＃３の動作説明図（正常時）である。
【図３５】ＢＬＳＲネットワークの障害時の経路を示す図である。
【図３６】図３１中のＮＥ２０＃１の動作説明図（障害時）である。
【図３７】図３１中のＮＥ２０＃２の動作説明図（障害時）である。
【図３８】図３１中のＮＥ２０＃３の動作説明図（障害時）である。
【符号の説明】
１００＃ｉ（ｉ＝１，…）　ＮＥ
１０２＃ｉｊ（ｉ＝１，…，ｊ＝１，…）　非同期網インタフェース部
１０４＃ｉ　非同期網インタフェース部
１１０＃ｉｊ（ｉ＝１，…，ｊ＝１．…）　非同期網終端部
１１２＃ｉｊ（ｉ＝１，…，ｊ＝１，…）　マッピング部
１０６＃ｉ（ｉ＝１，…）　回線交換部
１０９＃ｉ（ｉ＝１，…）　制御部
１０８＃ｉｊ（ｉ＝１，…，ｊ＝１，…）　ＳＯＮＥＴ／ＳＤＨ網インタフェース部
１２０＃ｉ（ｉ＝１，…）　非同期網終端部
１２２＃ｉ（ｉ＝１，…）　マッピング部
１２４＃ｉ（ｉ＝１，…）　バッファ
【図１】
2004048476.tif 000003
【図２】
2004048476.tif 000004
【図３】
2004048476.tif 000005
【図４】
2004048476.tif 000006
【図５】
2004048476.tif 000007
【図６】
2004048476.tif 000008
【図７】
2004048476.tif 000009
【図８】
2004048476.tif 000010
【図９】
2004048476.tif 000011
【図１０】
2004048476.tif 000012
【図１１】
2004048476.tif 000013
【図１２】
2004048476.tif 000014
【図１３】
2004048476.tif 000015
【図１４】
2004048476.tif 000016
【図１５】
2004048476.tif 000017
【図１６】
2004048476.tif 000018
【図１７】
2004048476.tif 000019
【図１８】
2004048476.tif 000020
【図１９】
2004048476.tif 000021
【図２０】
2004048476.tif 000022
【図２１】
2004048476.tif 000023
【図２２】
2004048476.tif 000024
【図２３】
2004048476.tif 000025
【図２４】
2004048476.tif 000026
【図２５】
2004048476.tif 000027
【図２６】
2004048476.tif 000028
【図２７】
2004048476.tif 000029
【図２８】
2004048476.tif 000030
【図２９】
2004048476.tif 000031
【図３０】
2004048476.tif 000032
【図３１】
2004048476.tif 000033
【図３２】
2004048476.tif 000034
【図３３】
2004048476.tif 000035
【図３４】
2004048476.tif 000036
【図３５】
2004048476.tif 000037
【図３６】
2004048476.tif 000038
【図３７】
2004048476.tif 000039
【図３８】
2004048476.tif 000040